(57)【要約】      （修正有）【課題】既に張られたロープなどの連結対象に対する連結を十分な強度をもって行うとともに不測の脱落を防止する連結環を提供する。【解決手段】１本の線材を曲げて形成された連結鐶１１において、線材１１ａの長手方向の中間部分で構成され、らせん状に一回り半巻回された環状部１２と、線材の長手方向の両端部分で構成され、環状部から離れる方向に突出する弓状部１３を形成する。弓状部は、環状部から離れる方向に延びる延長部１４、延長部の先から環状部方向に向きを変更するための折り返し部１５、及び折り返し部から環状部に向けて延びる戻り部１６で構成する。線材における弓状部を構成する部分同士を鐶の厚み方向に並べるとともに、線材における鐶の厚み方向に並ぶ部分同士が接触又は近接させる。弓状部に差し込んだ連結対象Ｘと連結鐶の相対移動によって、連結対象を弓状部から環状部に移動させる。【選択図】図１
0003232255.tif 000002
【実用新案登録請求の範囲】
【請求項１】
１本の線材を曲げて構成した形状に形成された連結鐶であって、
前記線材の長手方向の中間部分で構成され、らせん状に一回り半以上巻回された環状部と、
前記線材の長手方向の両端部分で構成され、前記環状部から離れる方向に突出する弓状部を有し、
前記弓状部が、前記環状部から離れる方向に延びる延長部、前記延長部の先から前記環状部方向に向きを変更するための折り返し部、及び前記折り返し部から前記環状部に向けて延びる戻り部を有し、
前記線材における前記弓状部を構成する部分同士が鐶の厚み方向に並んでいるとともに、
前記線材における鐶の厚み方向に並ぶ部分同士が接触又は近接している
連結鐶。
【請求項２】
前記折り返し部が鐶の面方向において半円弧状に形成されるとともに、
鐶の面方向の大きさが、前記環状部よりも前記折り返し部のほうが小さい
請求項１に記載の連結鐶。
【請求項３】
前記戻り部の先端と前記環状部との間に空間を有する
請求項１または請求項２に記載の連結鐶。
【請求項４】
前記戻り部の先端部に、鐶の内側に曲がる傾斜部が形成されている
請求項３に記載の連結鐶。
【考案の詳細な説明】
【技術分野】
【０００１】
この考案は、吊り下げや繋ぎなどに用いられる連結鐶に関し、より詳しくは例えば既に張られたロープやワイヤ等に対しても連結できるような連結鐶に関する。
【背景技術】
【０００２】
既に張られた紐に連結できる連結鐶として下記特許文献１に開示されたものがある。
【０００３】
この連結鐶は、１本の金属製線材で構成されたものであり、長手方向の両方の端部は鐶の厚み方向で重なっており、紐を保持する部分が形成されている。両端部は共に端が開放され形状であるが、厚み方向で重なった常態において内側に紐を保持する閉じた空間を形成する、例えば鉤状などの形に形成されている。
【０００４】
紐を保持する際には、まず、両端部における鐶の厚み方向の中間、つまり両方の端部同士の間に、連結対象である紐を差し入れて、紐を保持する保持空間の隣の空間に紐を保持させる。続いて、両端部を鐶の平面方向において互いに接近する方向に押し縮めて弾性変形させて、これによって保持空間を開いて紐を保持空間内に通す。押し縮めていた力を解放すると金属線材の形状は復元し、保持空間は紐を保持した状態で閉じる。
【先行技術文献】
【特許文献】
【０００５】
【特許文献１】特開２０１５−２１６０７号公報
【考案の概要】
【考案が解決しようとする課題】
【０００６】
しかし、使用時に連結鐶が引っ張られると、紐を保持している両端部に負荷が集中しやすい。両端部は変形を前提にした形状であり、これらの形状によっては十分な強度を得られないことがある。
【０００７】
また、連結時に金属線材を変形させるため、使用時に他の部材との接触などによって何らかの力が作用して連結鐶が変形して保持部が開くと、紐が外れてしまう懸念がある。
【０００８】
そこで、この考案は、十分な強度が得られるとともに不測に外れないようにすることを主な目的とする。
【課題を解決するための手段】
【０００９】
そのための手段は、１本の線材を曲げて構成した形状に形成された連結鐶であって、前記線材の長手方向の中間部分で構成され、らせん状に一回り半以上巻回された環状部と、前記線材の長手方向の両端部分で構成され、前記環状部から離れる方向に突出する弓状部を有し、前記弓状部が、前記環状部から離れる方向に延びる延長部、前記延長部の先から前記環状部方向に向きを変更するための折り返し部、及び前記折り返し部から前記環状部に向けて延びる戻り部を有し、前記線材における前記弓状部を構成する部分同士が鐶の厚み方向に並んでいるとともに、前記線材における鐶の厚み方向に並ぶ部分同士が接触又は近接している連結鐶である。
【００１０】
この考案では、連結する対象であるロープ等の線状体やリング等の鐶体などの連結対象を弓状部の折り返し部同士の間から差し込んで弓状部で囲まれた部分に連結対象を通したのち、らせん状をなす環状部と連結対象を相対移動させて、弓状部の内側と環状部の内側に連結対象を通す。このあと、連結対象のうち弓状部の内側にある部分と弓状部を相対移動すると、連結対象は環状部のみを通る状態になる。線材における鐶の厚み方向に並ぶ部分は、接触又は近接することで、連結対象の不測の通過を防止する。
【考案の効果】
【００１１】
この考案によれば、連結対象と連結鐶を相対移動することによって連結対象を環状部のみに通す連結ができる。このため、必要な強度を得られる形状に構成できる。そのうえ、連結に際して変形が不可欠な構成ではないので、たとえ変形が生じても連結対象が外れるような変形とはなり得ない。このため、不測に外れない状態が得られる。
【図面の簡単な説明】
【００１２】
【図１】連結鐶の正面図と側面図。
【図２】連結鐶の連結の一工程を示す正面図。
【図３】連結鐶の連結の一工程を示す正面図。
【図４】連結鐶の連結の一工程を示す正面図。
【図５】連結鐶の使用状態の側面図。
【図６】他の例に係る連結鐶の正面図。
【考案を実施するための形態】
【００１３】
この考案を実施するための一形態を、以下図面を用いて説明する。
【００１４】
図１に、連結鐶１１の正面図（ａ）と側面図（ｂ）を示す。この図に示すように連結鐶１１は、１本の線材１１ａを曲げて構成した形状に形成されている。この例において連結鐶１１は金属製であり、線材１１ａとしての鋼線を曲げて構成される。線材１１ａの横断面形状は円形であり、長手方向全体にわたって同じ太さである。
【００１５】
図１中、Ｘは連結鐶を連結する主たる対象である連結対象であり、連結対象Ｘは、ロープ等の線状体やリング等の鐶体で構成される。連結対象Ｘは連結鐶１１において環状に閉ざされた空間に挿通状態で保持され、連結鐶１１から不測に脱落することがないように保持される。
【００１６】
連結鐶１１の輪郭形状は、長手方向の両端が円弧状をなす正面視略長円形であり、具体的には、長手方向における一方の円弧のほうが他方の円弧よりも大きい茄子型である。このような輪郭形状の連結鐶１１は、大きい方の円弧を構成し前述した連結対象Ｘが保持される環状部１２と、環状部１２から離れる方向に突出する弓状部１３を有している。
【００１７】
前述のように連結鐶１１は１本の線材１１ａを曲げて構成されるので、環状部１２は線材１１ａの長手方向の中間部分で構成され、弓状部１３は線材１１ａの長手方向の両端部分で構成される。
【００１８】
環状部１２は線材１１ａをらせん状に一回り半以上巻回して構成される。らせん状に巻かれるので、鐶の厚み方向に並ぶ線材１１ａ同士は互い重なり合うことになる。
【００１９】
前述の「一回り」とは、線材１１ａを一回だけ巻くことの意味であり、全周において線材１１ａ同士が重なり合わない状態である。図示例の環状部１２は一回り半巻回したものである。このため、環状部１２における連結鐶１１の輪郭を形成する部分１２ａは線材１１ａが２重に重なり合い、環状部１２における連結鐶１１の輪郭を形成する部分以外の部分１２ｂは線材１１ａが重なり合うことなく１重になっている。つまり、環状部１２における連結鐶１１の輪郭を形成する部分１２ａは線材１１ａ同士が重なり合うことになり、その重なりの層数は、環状部１２における連結鐶１１の輪郭を形成する部分以外の部分１２ｂよりも一層覆い。
【００２０】
巻回されて鐶の厚み方向に並ぶ線材１１ａ同士は互いに接触している。
【００２１】
また、図示例の環状部１２は正面視円形であるが、その他の形状であってもよい。
【００２２】
弓状部１３は、環状部１２から離れる方向に延びる延長部１４と、延長部１４の先から環状部１２方向に向きを変更するための折り返し部１５と、折り返し部１５から環状部１２に向けて延びる戻り部１６を有している。延長部１４と戻り部１６は直線状に形成され、折り返し部１５は正面視半円弧状に形成されているため、線材１１ａの一方の端部分のみに注目すると、正面形状は釣針のような形状である。これらが互いに重なり合って全体して正面視弓状をなす。
【００２３】
弓状部１３の戻り部１６の先端と、戻り部１６が向かう環状部１２との間には空間１７が形成されている。この空間１７の間隔は、連結対象Ｘの太さよりも大きい方が好ましい。
【００２４】
鐶の面方向における大きさについて、環状部１２よりも折り返し部１５の方が小さい。つまり環状部１２の直径よりも折り返し部１５の直径の方が小さい。このため延長部１４と戻り部１６は平行ではなく互いに傾いている。
【００２５】
線材１１ａにおける弓状部１３を構成する部分同士は、鐶の厚み方向に並んだ重なり合った状態であり、前述の環状部１２の場合と同様に鐶の厚み方向に並ぶ部分同士は接触している。
【００２６】
なお、線材１１ａ同士は鐶の厚みにおいて必ずしも接触している必要はなく、連結対象Ｘが常態において容易にすり抜けない程度に離れた近接状態であってもよい。環状部１２の線材１１ａ同士についても同様であり、互いに接しているほか、多少離れた近接状態であってもよい。
【００２７】
一方の端部分の延長部１４及び他方の端部分の戻り部１６、並びに一方の端部分の戻り部１６及び他方の端部分の延長部１４は、互いに平行であってもよいが、図示例の構成ではわずかにずらしている。具体的には、戻り部１６は、鐶の厚み方向に並んで対向する延長部１４よりも先端を若干内側に向けて傾けている。このため、弓状部１３のうち折り返し部１５のみは鐶の厚み方向で略完全に重なり合っているが、延長部１４と戻り部１６の重なりについては若干のずれを有している。
【００２８】
環状部１２はらせん状に巻いた形態であり、その先に位置する部分、つまり線材１１ａにおける弓状部１３を構成する部分に弾性変位性が付与される。前述のように戻り部１６を対向する延長部１４よりも内側に傾けているため、弓状部１３における戻り部１６の先端に近い部位を手で挟み付けることによって、鐶の厚み方向で重なっている折り返し部１５を鐶の面方向でずらす弾性変位ができることになる。
【００２９】
以上のように構成された連結鐶１１は、図２〜図４に示したようにして連結対象Ｘに対して連結される。この連結対象Ｘは、張られた線状体や閉じたループ状の鐶体のように、開放端がなく、開放端を挿入して連結することができないものである。図示例の連結対象Ｘは線状体であるが、その他の形態の連結対象Ｘであっても同様である。
【００３０】
連結作業は３段階に分けられる。まずは連結対象Ｘの弓状部１３への差し込みであり、次に、連結対象Ｘの弓状部１３から環状部１２への渡し、最後に連結対象Ｘの環状部１２への完全移行である。
【００３１】
すなわち、連結対象Ｘの弓状部１３への差し込みでは、図２の（ａ）に示したように、連結鐶１１の弓状部１３を構成する折り返し部１５同士の間に連結対象Ｘを差し入れる。このとき、弓状部１３における戻り部１６の先端近傍を挟み付けて、仮想線で示したように折り返し部１５を変位させると連結対象Ｘの差し込みが行いやすい。
【００３２】
続いて折り返し部１５同士の間に挟まれた状態になった連結対象Ｘと連結鐶１１を相対移動させて連結対象Ｘを弓状部１３に深く差し込み、連結対象Ｘを戻り部１６の先端よりも環状部１２に近づける。すると、図２の（ｂ）に示したように、連結対象Ｘは戻り部１６と環状部１２の間の空間１７に位置して、連結対象Ｘは弓状部１３の内側に挿入保持された状態となる。
【００３３】
次に、連結対象Ｘの弓状部１３から環状部１２への渡しを行う。図２の（ｂ）に仮想線で締めたように、連結対象Ｘにおける戻り部１６の先端と環状部１２との間に位置する部分のうち一方を環状部１２に向けて相対移動して、環状部１２における線材１１ａ間に滑り込ませる。
【００３４】
そのまま、図３の（ａ）に示したように、連結鐶１１と連結対象Ｘを相対回転させて、連結対象Ｘを環状部１２に沿って移動させて環状部１２から抜く。すると、図３の（ｂ）に示したように、連結対象Ｘは、環状部１２と弓状部１３の双方を縫うように通る態様となる。つまり、はじめに弓状部１３のみに入った連結対象Ｘは、弓状部１３と環状部１２の双方に入ることになる。
【００３５】
このあと、連結対象Ｘの環状部１２への完全移行を行う。すなわち、図４の（ａ）に示したように、連結対象Ｘのうち、弓状部１３の戻り部１６の先端と環状部１２との間の空間１７にある部分、換言すれば環状部１２から出ている部分であるも弓状部１３に押さえられている部分を、弓状部１３を構成する線材１１ａ同士の間を通して弓状部１３から抜く。この操作は、連結鐶１１と連結対象Ｘを相対回転させて行える。
【００３６】
すると、図４の（ｂ）に仮想線で示した状態から実線で示したように、弓状部１３の戻り部１６の先端から外れた連結対象Ｘは自由になり、その後、仮想線で示したように連結対象Ｘは環状部１２のみに挿通された状態になる。
【００３７】
このようにして連結鐶１１は連結対象Ｘに連結される。
【００３８】
連結対象Ｘに連結された連結鐶１１には、例えば図５に示したように、必要な部材が連結される。図５の（ａ）はリング体２１を連結した例であり、図５の（ｂ）はシート体２２を連結した例である。図５の（ｂ）における２２ａはネットなどのシートであり、２２ｂはシート２２ａの外周に保持されたロープである。
【００３９】
リング体２１もシート体２２も弓状部１３に保持される。弓状部１３への保持は、連結する部分を、弓状部１３を構成している重なり合った線材１１ａ間に差し込んで、差し込んだ部分を一対の戻り部１６の先端から抜くとよい。弓状部１３への保持は、保持する部材の形態に応じて適宜の手順で行える。
【００４０】
以上のように連結鐶１１は、連結対象Ｘに対して相対移動させると、連結対象Ｘを環状部１２に通した連結状態を得られる。このため、連結に際して連結鐶１１の変形は不可欠ではない構成であり、使用中においてたとえ連結鐶１１に変形が生じても連結が外れてしまうことはなく、連結状態を維持できる。
【００４１】
しかも、線材１１ａにおける鐶の厚み方向に並ぶ部分は、接触又は近接しているので、この点からも連結対象Ｘの不測の脱落を確実に防止できる。
【００４２】
また、連結対象Ｘは閉じた形態である環状部１２に挿通保持されるので、この点からも外れることはなく、しかも環状部１２がらせん状をなしていることと相まって、必要な強度が得られる。
【００４３】
連結鐶１１の輪郭形状は茄子型であるため、取扱い時に当たりが柔らかく、使いやすい。
【００４４】
そのうえ、弓状部１３の折り返し部１５は半円弧状であるとともに、鐶の面方向の大きさが環状部１２のそれより折り返し部１５のほうが小さいので、使用時に連結鐶１１の向きが感覚的に容易に認識でき、使用しやすい。弓状部１３の折り返し部１５への連結対象Ｘの差し込みも行いやすい。
【００４５】
また戻り部１６の先端と環状部１２との間に空間１７を有するので、連結作業に際して連結対象Ｘが弓状部１３や環状部１２から抜けたことを感覚的に明確にできる。この点からも作業性がよい。
【００４６】
以上の構成はこの考案を実施するための一形態であって、この考案は前述の構成のみに限定されるものではない。
【００４７】
例えば、連結鐶１１は図６に示したような構成にしてもよい。なお、図６において前述の構成と同一の部位については同一の符号を付してその詳しい説明を省略する。
【００４８】
図６の（ａ）は、弓状部１３における戻り部１６の先端部に、鐶の内側に曲がる傾斜部３１が形成された例である。すなわち、戻り部１６の先端を互いに重なる延長部１４から外れるように曲げている。
【００４９】
このように構成すると、戻り部１６の先端の当たりを和らげることができるとともに、連結対象Ｘに対する連結作業において連結対象Ｘを弓状部の線材１１ａ間に滑り込ませる初めの差し込みが行い易い。
【００５０】
図６の（ｂ）は、環状部１２の上部（一端部）に連結対象Ｘを安定的に保持する凹部１２ｅを形成するための突出部３２を形成した例である。
【００５１】
図６の（ｃ）は、弓状部１３の変形例であり、平紐状の部材からなるループ２３で構成された連結対象Ｘをきれいに保持できるように、折り返し部１５を直線状に形成している。折り返し部１５の長さは連結対象Ｘに対応させる。
【００５２】
図６の（ｄ）は、弓状部１３における戻り部１６の先端部に、鐶の外側に半円弧状に突出する湾曲部３３が形成された例である。このように構成すると、湾曲部３３同士が近接する方向に挟み付けることでより容易に折り返し部１５を変位させることができるとともに、連結対象Ｘに対する連結作業において連結対象Ｘを弓状部１３の線材１１ａ間に滑り込ませる初めの差し込みが行い易い。
【００５３】
このほか、例えば環状部１２は正面視円形ではなく、例えば多角形状などの他の形状であってもよい。
【００５４】
また線材１１ａは断面形状が異形であってもよく、長手方向の全体が同じ太さでなくともよい。
【００５５】
連結鐶１１は線材１１ａを曲げて形成するほか、成形により形成してもよい。
【符号の説明】
【００５６】
１１…連結鐶
１１ａ…線材
１２…環状部
１３…弓状部
１４…延長部
１５…折り返し部
１６…戻り部
１７…空間
３１…傾斜部
【図１】
0003232255.tif 000003
【図２】
0003232255.tif 000004
【図３】
0003232255.tif 000005
【図４】
0003232255.tif 000006
【図５】
0003232255.tif 000007
【図６】
0003232255.tif 000008